【事件の表示】
　特願２００１−１１５５７２「携帯型ガス検出器」拒絶査定不服審判事件〔平成１４年１０月２５日出願公開、特開２００２−３１２８７０〕について、次のとおり審決する。
【結　論】
　本件審判の請求は、成り立たない。
【理　由】
１．手続の経緯
　本願は、平成１３年４月１３日の出願であって、平成２３年２月２８日付けで拒絶査定がなされ、同年５月１８日に拒絶査定不服審判の請求がなされ、同年１０月２４日付けで当審の拒絶理由が通知され、同年１２月１日付けで意見書が提出されたものである。　
　
２．本願発明
　本願の請求項１に係る発明（以下、「本願発明」という。）は、明細書及び図面の記載からみて、その特許請求の範囲の請求項１に記載された事項により特定される以下のとおりのものと認める。
　
「ガス入口と警報部を有するケース内に、前記ガス入口から導入されたガスの濃度を検出するガスセンサと、該ガスセンサで検出された電気信号を処理しガス濃度が所定以上のときに前記警報部から警報を出力させる信号処理回路とを配設した携帯型ガス検出器において、前記ケースに表示部を設けると共に、前記ケース内に、指向性を有する超音波マイクロホンを配設し、該超音波マイクロホンで検出された電気信号を前記信号処理回路で処理し前記表示部に出力させることを特徴とする携帯型ガス検出器。」
　
３．引用例
（３−１）引用例１
　当審の拒絶理由に引用した特開２０００−８８７８６号公報（以下、「引用例１」という。）には、図面と共に以下の事項が記載又は示されている。　
　・「【０００１】
【発明の属する技術分野】本発明は、ガスセンサーからの信号に基づいて濃度の表示と、警報を発動する機能とを備えた携帯用ガス検出装置に関する。
【０００２】
【従来の技術】携帯用ガス検出装置は、電池を電源として吸引ノズルから環境中の大気をチャンバーに取り込み、熱線型半導体ガスセンサー等のガスセンサーにより目的ガスの濃度を電気信号に変換してデイスプレイに表示するとともに、警報レベルを超えた場合にはブザー等の報知手段を鳴動させるように構成されていて、用途によっては数１０ｐｐｍからパーセントオーダまでの極めて広い濃度範囲のガスを確実に測定、報知することが求められている。」
　
　・「【０００６】
【発明の実施の形態】そこで以下に本発明の詳細を図示した実施例に基づいて説明する。図１は、本発明の一実施例を示すものであって、ケース１は、これを把持したとき見やすい位置にパネル２を、また上端にガス取入口３を設けて構成されている。パネル２は、一側にガス濃度を表示するデイスプレイ４が、また他側に電源スイッチ５、ブザー鳴動停止指令スイッチを兼ねる不感帯選択スイッチ６、零点調整指令スイッチ７が設けられいる。デスプレイ４は、複数のレベル、この実施例では８段階の濃度表示に対応するように８つの発光素子Ｌ1〜Ｌ8を上下方向に配置するとともに、選択された警報濃度を表示する発光素子Ｌ1’〜Ｌ8’、さらには選択された不感帯レベルこの実施例では３０ppm、１５０ppmを表示する発光素子Ｌ9、Ｌ10が設けられている。
【０００７】図２は、本発明の一実施例を示すブロック図で、チャンバー１０は、吸引口３と吸引ポンプ１１に接続され、内部に熱線型半導体ガスセンサー１２を収容して構成されている。吸引ポンプ１１、及び熱線型半導体ガスセンサー１２は、スイッチ１３を介して電池１４に接続された昇圧手段１５から電力の供給を受けている。
【０００８】熱線型半導体ガスセンサー１２の検出端子１２ａは、演算増幅器１６の反転端子に接続されている。演算増幅器１６は、その非反転端子に零点粗調整用の可変抵抗１７が、また帰環路にスパン調整用の可変抵抗１８が接続されていて、零点の粗調整機能とスパン調整機能を備えるように構成されている。
【０００９】不感レベル調整回路１９は、後述するマイクロコンピュータ３０からの指令に対応して差動増幅器２０の出力が零となる電圧を出力するように構成されている。
【００１０】マイクロコンピュータ３０は、アナログーデイジタル変換手段３１から出力されたガス検出信号を記憶手段３１の制御プログラム、及び設定データに基づいて処理し、電源投入当初に不感帯レベルを所定の既定値、この実施例では１５０ｐｐｍに設定するとともに、ガスセンサー１２からの検出信号に基づいてインタフェース３２を介して接続された表示パネル４や、警報手段であるブザー３３を作動させるよう構成されている。」
　
　・「【００２０】一方、不感帯レベルを超え、かつ警報レベルを超える濃度のガスが検出された場合には、マイクロコンピュータ３０はブザー３３を鳴動させてユーザに警報を発する。ユーザが確認後、不感帯選択スイッチ６を押圧すると、マイクロコンピュータ３０は、ブザー３３の鳴動中であるから、不感帯レベルを変化させる機能を奏することなく、代ってブザー３３の鳴動を停止させる。
【００２１】ところで、被検査環境によっては、騒音が大きくてブザーの鳴動では警報の発動を認識することができない場合がある。図３は、このような問題に対処できる本発明の第２の実施例を示すものであって、この実施例は、前述の実施例におけいてブザー鳴動停止指令スイッチを兼ねていた不感帯選択スイッチ６に、さらに警報形態選択機能が付与されている。
【００２２】そして、警報手段として前述のブザー３３の他に、起振体３７、この実施例ではマイクロモータの回転軸に偏心重りを取付けた振動モータが設けられていて、ブザー３３、または起振体３７のいずれかが作動して、警報が発せられた場合に不感帯選択スイッチ６を押圧することににより、他方の警報手段、つまりブザー３３が作動している状態では起振体３７が、また起振体３７が作動している状態ではブザー３３が作動するように構成されている。
【００２３】この実施例において、警報レベルを超える濃度のガスが検出されると（図４ステップ  イ）、マイクロコンピュータ３０は、第１の警報手段、例えばブザー３３を鳴動させてユーザに警報を発する（図４  ステップ  ロ）。しかし、環境中の騒音が大きくブザー３３からの音が聞き取りにくい場合には、不感帯選択スイッチ６を押圧すると（図４  ステップ  ハ）、ブザー３３の鳴動が停止して起振体３７が作動する（図４  ステップ  ニ）。そして、マイクロコンピュータ３０は、起振体３７を検出されたガスの濃度に対応した回転数で回転させて、現在のガス濃度をユーザに報知する。」
　
　・図２を参酌すると図１には、ガス取入口３とブザー３３を設けたケース１内に、熱線型半導体ガスセンサー１２、マイクロコンピュータ３０及び演算増幅器１６とを配設した点が示されているといえる。
　
　これらの記載事項及び図示内容を総合すると、上記引用例１には、次の発明（以下、「引用発明」という。）が記載されているものと認められる。
　
「ガス取入口３と警報手段であるブザー３３を設けたケース１内に、吸引口３と吸引ポンプ１１に接続されたチャンバー１０の内部に収容された熱線型半導体ガスセンサー１２と、警報レベルを超える濃度のガスが検出された場合に、ブザー３３を鳴動させてユーザに警報を発するマイクロコンピュータ３０及び演算増幅器１６とを配設した携帯用ガス検出装置において、ケース１に設けられたパネル２にデイスプレイ４（表示パネル４）を設けると共に、マイクロコンピュータ３０は、熱線型半導体ガスセンサー１２からの検出信号に基づいてインタフェース３２を介して接続されたデイスプレイ４（表示パネル４）を作動させ、ガス濃度を表示させる携帯用ガス検出装置。」
　
（３−２）引用例２
　同じく当審の拒絶理由に引用した特開平２−１４３１３４号公報（以下、「引用例２」という。）には、図面と共に以下の事項が記載されている。
　
　・「２．特許請求の範囲
（１）主超音波センサ（１）と、
副超音波センサ（２）と、
前記両センサ（１）、（２）の出力の差を出力する差動アンプ（３）と、
前記両センサ（１）、（２）の出力の中から特定の周波数の超音波に対応する出力分だけ通過させるバンドパス特性を有するアクチブフィルタ（４）と、前記両センサ（１）、（２）のバンドパス処理された出力の差を入力する積分器（６）と、
該積分器（６）の入力端子と出力端子との間に挿入接続されてフィードバック回路を形成するスイッチ（９）とゼロセット（８）との直列回路と、
前記積分器（６）の出力端子に接続された表示機能部（７）と、
から構成され、前記両センサ（１）、（２）を異なる方向に指向させて成るリークディテクタ。」（公報１頁左下欄４行〜最終行）
　
　・「〔産業上の利用分野〕
　本発明は、ガス封入通信ケーブルの保守の一環として、ガス供給端、洞道内、人孔内等の通信ケーブル接続部のガス漏洩孔より発生する超音波を検出することにより、このガス漏洩孔を検出すると共に、その位置を正確に探索するリークディテクタの内、特にハンディ−タイプのリークディテクタに関するものである。」（公報１頁右下欄１０行〜１７行） 
　
　・「そこで、本発明は、上記した従来技術における問題点を解消すべく創案されたもので、ガス漏洩孔探索箇所における暗騒音中の超音波には一定した指向性がないことを利用して、二つの超音波センサによりガス漏洩孔探索箇所内における暗騒音中の超音波のレベルを知り、このレベルを基準として、超音波センサが指向性を持っていること、ガス漏洩孔からの超音波には指向性があること、そしてガス漏洩孔からの超音波は、ガス漏洩孔に接近するほどそのレベルが高くなることを利用して、ガス漏洩孔からの超音波を選別するようにしたもので、ガス漏洩孔からの超音波を確実に検出してガス漏洩孔の探索を確実にかつ正確に達成することを目的とする。」（公報２頁左下欄２行〜１５行） 
　
　・「表示機能部のゼロセットが完了したならば、主超音波センサだけをガス漏洩孔を探索したい箇所に指向させ、その箇所に接近する。
　目的とする箇所にガス漏洩孔がある場合には、ガス漏洩孔から発生している超音波に指向性があるため、主超音波センサの検出出力が副超音波センサの検出出力よりも大きくなり、積分器に入力される出力の差が大きくなるので、積分器からの出力が表示機能部に探索信号として出力され、表示機能部に表示される。
　反対に目的とする箇所にガス漏洩孔がない場合には、主超音波センサの検出出力は大きくならずに副超音波センサの出力と同じままであるので、積分器の出力はゼロのままであり、表示機能部はガス漏洩孔の検出を表示しない。」（公報３頁右上欄１行〜１５行）
　
　・「また、・・・ガス漏洩孔の探索操作に先立って、積分器の出力電圧をゼロセットにより零にセットするので、暗騒音口に対する主超音波センサと副超音波センサとの感度係数の差は完全に排除されることになり、主超音波センサをガス漏洩孔に指向させて得られる検出出力、すなわち漏洩音イだけが検出表示されることになる。」（公報４頁左上欄１３行〜２０行）
  　
　・「第１図は、本発明の最も簡単と思われる実施例の構成を示すブロック図で、この第１図図示の実施例は、主超音波センサ１および副超音波センサ２の検出出力を差動アンプ３に入力して出力の差を得、この出力の差をアクチブフィルタ４および全波整流器５を通して積分器６に入力する構成となっている。
　両超音波センサ１、２は、その指向性が反対となるように１８０°違えて取付けられており、主超音波センサ１をガス漏洩孔に指向させた際における主超音波センサ１の漏洩音イ検出能力が、副超音波センサ２の漏洩音イ検出能力よりもはるかに大きくなるようにしている。
　アクチブフィルタ４は、検出信号の周波数を特定することにより漏洩音イを分別し易くするためのものであるので、第４図に示した漏洩音イと暗騒音ロとの特性から明らかなように、Ｓ／Ｎの点からバンドパス特性の中心周波数を４０ＫＨｚとするのが有利である。
　なお、積分器６と全波整流器５との間に挿入接続された抵抗は、入力保護用の抵抗であり、また積分器６のフィードバック回路中に積分器６の入力端子と直列に挿入接続された抵抗は、増幅度設定を兼ねた保護用抵抗である。」（公報４頁右上欄１３行〜左下欄１６行） 
　
　・「第３図は、両超音波センサ１、２を一つの枠体１１に一体的に取付けたプローブの一実施例を示すもので、円筒状となった枠体１１の一端に主超音波センサ１を取付けると共に、他端に副超音波センサ２を取付けて構成されており、この構成により両超音波センサ１、２はその指向方向が反対向きとなる。」（公報４頁右下欄１０行〜１６行） 
　
　・「ガス漏洩孔の探索操作は、リークディテクタを駆動状態にしてからスイッチをオンして表示機能部をゼロにセットし、しかる後主超音波センサを適当な方向に指向させれば良いので、極めて簡単である。」（公報５頁左上欄１０行〜１４行）
　
　・「第３図は、センサマイクとしてのプローブの構成例を示す全体斜視図である。」（公報５頁右上欄１１行〜１２行） 
　
３．対比
　そこで、本願発明と引用発明とを対比すると、その機能・作用からみて、後者の「ガス取入口３」が前者の「ガス入口」に相当し、以下同様に、「警報手段であるブザー３３」が「警報部」に、「ケース１」が「ケース」にそれぞれ相当する。　
　
　次に、後者の「吸引口３と吸引ポンプ１１に接続されたチャンバー１０の内部に収容された熱線型半導体ガスセンサー１２」が吸引口３から導入されたガスの濃度を検知するのは明らかであるから、後者の「吸引口３と吸引ポンプ１１に接続されたチャンバー１０の内部に収容された熱線型半導体ガスセンサー１２」が前者の「ガス入口から導入されたガスの濃度を検出するガスセンサ」に相当する。
　
　また、後者では、熱線型半導体ガスセンサー１２からの検出信号に基づいてインタフェース３２を介して接続されたデイスプレイ４（表示パネル４）を作動させ、ガス濃度を表示させていること及び引用例１の図２のブロック図から、熱線型半導体ガスセンサー１２で検出された電気信号を処理しているのは明らかであるから、後者の「警報レベルを超える濃度のガスが検出された場合に、ブザー３３を鳴動させてユーザに警報を発する」態様が前者の「ガスセンサで検出された電気信号を処理しガス濃度が所定以上のときに警報部から警報を出力させる」態様に相当し、以下同様に、「マイクロコンピュータ３０及び演算増幅器１６」が「信号処理回路」に、「携帯用ガス検出装置」が「携帯型ガス検出器」にそれぞれ相当する。
　
　さらに、後者の「デイスプレイ４（表示パネル４）」が前者の「表示部」に相当するので、後者の「ケース１に設けられたパネル２にデイスプレイ４（表示パネル４）を設ける」態様が前者の「ケースに表示部を設ける」態様に相当する。そして、後者の「熱線型半導体ガスセンサー１２」と前者の「指向性を有する超音波マイクロホン」とは「検出手段」との概念で共通し、後者の「検出信号」が前者の「電気信号」に相当し、「デイスプレイ４（表示パネル４）を作動させ、ガス濃度を表示させる」態様が「表示部に出力させる」態様に相当するので、結局、後者の「ケース１に設けられたパネル２にデイスプレイ４（表示パネル４）を設けると共に、マイクロコンピュータ３０は、ガスセンサー１２からの検出信号に基づいてインタフェース３２を介して接続されたデイスプレイ４（表示パネル４）を作動させ、ガス濃度を表示させる」態様と前者の「ケースに表示部を設けると共に、前記ケース内に、指向性を有する超音波マイクロホンを配設し、該超音波マイクロホンで検出された電気信号を信号処理回路で処理し前記表示部に出力させる」態様は、「ケースに表示部を設けると共に、前記ケース内に、検出手段を配設し、該検出手段で検出された電気信号を信号処理回路で処理し表示部に出力させる」との概念で共通する。
　　
　したがって、両者は、
「ガス入口と警報部を有するケース内に、前記ガス入口から導入されたガスの濃度を検出するガスセンサと、該ガスセンサで検出された電気信号を処理しガス濃度が所定以上のときに前記警報部から警報を出力させる信号処理回路とを配設した携帯型ガス検出器において、前記ケースに表示部を設けると共に、前記ケース内に、検出手段を配設し、該検出手段で検出された電気信号を信号処理回路で処理し表示部に出力させる携帯用ガス検出装置。」
の点で一致し、以下の点で相違している。
　
［相違点］
　検出手段に関し、本願発明では「指向性を有する超音波マイクロホン」であるのに対し、引用発明では「熱線型半導体ガスセンサー」である点。
　
４．判断
　上記相違点について以下検討する。
　本願発明において、検出手段を「指向性を有する超音波マイクロホン」とすることの技術的意義は、出願当初明細書の【０００４】の「【本発明が解決しようとする課題】作業者はこの携帯型ガス検出器を携帯することにより、警報が出力されたガス漏洩の非常時に避難するのであるが、漏洩位置がわからないので避難したつもりが、逆に漏洩位置に近づく場合があり、致命傷を負う虞があった。従って本発明の技術的課題は、ガス漏洩の非常時に漏洩位置を探知できる携帯型ガス検出器を提供することである。」なる記載より、「ガス漏洩の非常時に漏洩位置を探知できる携帯型ガス検出器を提供すること」であると解釈できる。
　
　ここで、例えば、引用例２に開示されているように、ケース（「枠体１１」が相当。以下同様。）内に、指向性を有する超音波マイクロホン（主超音波センサ１、副超音波センサ２（センサマイク））を配設し、該超音波マイクロホンで検出された電気信号を信号処理回路で処理し表示部に出力（目的とする箇所にガス漏洩孔がある場合には、ガス漏洩孔から発生している超音波に指向性があるため、主超音波センサ１の検出出力が副超音波センサ２の検出出力よりも大きくなり、積分器６に入力される出力の差が大きくなるので、積分器６からの出力が表示機能部７に探索信号として出力）することは携帯用ガス検出器（ハンディータイプのリークディテクタ）の分野における周知技術である。
　
　一方、引用発明においても、デイスプレイ４（表示パネル４）にガスの濃度を表示させていることから、ガス漏洩の非常時に漏洩位置に近づくと、ガスの濃度の表示が高濃度を示し、逆に、漏洩位置から遠ざかるとガス濃度の表示が低濃度を示すようになるので、避難に際して、漏洩位置に近づいているのか、あるいは、遠ざかっているのかの程度で漏洩位置を探知できるものと認められ、さらに、一般に、警報が出力された場合に、警報の原因となる事象がどこで発生したかを特定することは警報器ないし検出器の分野では通常要求されることといえるから、引用発明において、より精緻に漏洩位置を探知するために、上記周知技術を採用し、上記相違点に係る本願発明の構成とすることは当業者が容易に想到し得たものというべきである。
　
　そして、上記相違点を併せ備えた本願発明の作用効果について検討してみても、引用発明及び上記周知技術から当業者であれば予測できる程度のものであって、格別のものとは言えない。 
 　
　したがって、本願発明は、引用発明及び上記周知技術に基づいて、当業者が容易に発明をすることができたものと認められるから、特許法第２９条第２項の規定により特許を受けることができない。
　
５．むすび
　以上のとおりであるから、本願発明は特許法第２９条第２項の規定により特許を受けることができない。